(57)【要約】【課題】タッチパネルのように、直感的に操作可能な給湯機用リモコンを提供する。【解決手段】ドット表示部１と、複数のスイッチ３〜６を備え、前記複数のスイッチ３〜６を、前記ドット表示部１の近傍周囲であって、かつ前記ドット表示部１の表示内容に合わせた位置に配したもので、使用者はドット表示を見てその近傍のスイッチ３〜６を操作できるので、タッチパネル相当の直感的な操作が可能な給湯機用リモコンを提供することができる。【選択図】図１
2008309387.tif 000002
【特許請求の範囲】
【請求項１】
ドット表示部と、複数のスイッチを備え、前記複数のスイッチを、前記ドット表示部の近傍周囲であって、かつ前記ドット表示部の表示内容に合わせた位置に配した給湯機用リモコン。
【請求項２】
複数のスイッチの内、ドット表示部の表示内容に応じて選択可能なスイッチのみを発光させるようにした請求項１に記載の給湯機用リモコン。
【請求項３】
スイッチを、操作された時から一定時間発光させるようにした請求項１又は２に記載の給湯機用リモコン。
【請求項４】
スイッチを、操作された時から一定時間、それまでとは異なる色で発光させる請求項１〜３のいずれか1項に記載の給湯機用リモコン。
【請求項５】
スイッチが操作された時から一定時間、前記スイッチに対応するドット表示部の表示色を反転させる請求項1〜４のいずれか１項に記載の給湯機用リモコン。
【発明の詳細な説明】
【技術分野】
【０００１】
本発明は、給湯機用リモコンに関するもので、特に、ドット表示部を備えた給湯機用リモコンに関するものである。
【背景技術】
【０００２】
従来より、給湯機用リモコンは、誰もが使いやすいように改良が加えられてきた。しかしながら、給湯機の機能向上により、給湯機用リモコンで設定する項目も増えてきている。
【０００３】
給湯機用リモコンに設けられた表示部は、ドット表示素子を備えて、表示内容の充実が図られている。
【０００４】
また、給湯温度の設定（あつく、ぬるく）や浴槽水位の設定（高く、低く）などのスイッチの数を少なくするためには、機能ごとにスイッチを設けるのではなく、共通のスイッチで、機能を選択して設定する方法があった（例えば、特許文献１参照）。
【０００５】
また、ドット表示素子と、タッチパネルの採用で、画面を直感的に操作する方法も提案されている（例えば、特許文献２参照）。
【特許文献１】特開２００４−２３２９９２号公報
【特許文献２】特開２００４−２３２９９１号公報
【発明の開示】
【発明が解決しようとする課題】
【０００６】
しかしながら、従来の給湯機用リモコンの構成では、スイッチの数を少なくすれば、直感的な操作が分かりづらいという課題があった。また、タッチパネルは、直感的な操作が可能で使いやすさの向上につながるが、浴槽に設置する場合、タッチパネルの防水構造が難しいという課題があった。
【０００７】
本発明は、前記従来の課題を解決するもので、タッチパネル相当の操作性を、タッチパネルを使わずに提供することができる給湯機用リモコンを提供することを目的とする。
【課題を解決するための手段】
【０００８】
前記従来の課題を解決するために、本発明の給湯機用リモコンは、ドット表示部と、複数のスイッチを備え、前記複数のスイッチを、前記ドット表示部の近傍周囲であって、かつ前記ドット表示部の表示内容に合わせた位置に配したもので、使用者はドット表示を見てその近傍のスイッチを操作できるので、タッチパネル相当の直感的な操作が可能な給湯機用リモコンを提供することができる。
【発明の効果】
【０００９】
本発明の給湯機用リモコンによれば、使用者はドット表示部を見てその近傍のスイッチを操作できるので、直感的な操作が可能となる。
【発明を実施するための最良の形態】
【００１０】
第１の発明は、ドット表示部と、複数のスイッチを備え、前記複数のスイッチを、前記ドット表示部の近傍周囲であって、かつ前記ドット表示部の表示内容に合わせた位置に配したもので、使用者はドット表示を見てその近傍のスイッチを操作できるので、直感的な操作が可能な給湯機用リモコンを提供することができる。
【００１１】
第２の発明は、特に、第1の発明の複数のスイッチの内、ドット表示部の表示内容に応じて選択可能なスイッチのみを発光させるようにしたもので、使用者は、どのスイッチを操作すればよいのか、直感的に判断でき、操作性がよい給湯機用リモコンを提供することができる。
【００１２】
第３の発明は、特に、第1又は第２の発明のスイッチを、操作された時から一定時間発光させるようにしたもので、使用者がどのスイッチを操作したのか確認でき、操作性がよい給湯機用リモコンを提供することができる。
【００１３】
第４の発明は、特に、第１〜３のいずれか１項に記載のスイッチを、操作された時から一定時間、それまでとは異なる色で発光させるもので、使用者がどのスイッチを操作したのか確認でき、操作性がよい給湯機用リモコンを提供することができる。
【００１４】
第５の発明は、特に、第１〜４のいずれか１項に記載のスイッチが操作された時から一定時間、前記スイッチに対応するドット表示部の表示色を反転させるもので、使用者がどのスイッチを操作したのかドット表示部で確認でき、操作性がよい給湯機用リモコンを提供することができる。
【００１５】
以下、本発明の実施の形態について、図面を参照しながら説明する。なお、本実施の形態によって本発明が限定されるものではない。
【００１６】
（実施の形態１）
図１、図２、図３は、本発明の第１の実施の形態における給湯機用リモコンの外観図を示すものである。本実施の形態では、貯湯式ヒートポンプ給湯機を遠隔操作する給湯機用リモコンを例に説明をする。
【００１７】
図１において、ドット表示部１で表示を行い、メニュースイッチ２は、設定メニューの切り替えを行なうためのスイッチで、スイッチ３〜６は、ドット表示部１の近傍周囲に配したスイッチである。７は、給湯機のお湯が少なくなった時に操作するお湯増しスイッチ、８は、台所リモコン（図示せず）と浴室に設置したふろリモコン（図示せず）間でインターホン機能を行う通話スイッチ、９は、浴槽（図示せず）への自動湯はりを行うふろ自動スイッチである。
【００１８】
以上のように構成された給湯機用リモコンについて、図１、図２および図３を用いて、その動作、作用を説明する。
【００１９】
まず、図１のドット表示部１は、使用者が操作を行う前の通常表示状態である。ドット表示部１では、時計をａ部に、給湯温度をｂ部に、残湯量をｃ部に、1日に沸かす湯量をｄ部に、ふろ温度をｅ部にそれぞれ表示している。
【００２０】
図1においては、ａ部等を点線で囲っているが、これは、図示するためのものであって、実際のドット表示部１には表示されない。さらに、ｂ部の給湯温度の表示の右のｆ部に「あつく」、同じく右のｇ部に「ぬるく」の表示がそれぞれある。このｆ部の「あつく」の表示に対応して、ドット表示部１の周囲にスイッチ３が配置されている。またｇ部の「ぬるく」の表示に対応して、ドット表示部１の周囲にスイッチ４が配置されている。
【００２１】
この通常表示状態では、給湯温度が、スイッチ３とスイッチ４を使って変更可能である。スイッチ３とスイッチ４は、操作可能であることを使用者に知らせるために、緑色に発光している。スイッチ３、４を発光させるために、スイッチ３、４のそれぞれの下部にＬ
ＥＤなどの発光素子（図示せず）を組み込んである。なお、本実施の形態では、スイッチ５およびスイッチ６は、発光させないようにしている。
【００２２】
本実施の形態では、スイッチ３を操作すれば、給湯温度が高くなり、ドット表示部１のｂ部の表示温度は、当初の４０℃から操作するたびに、４１、４２、４３・・・と高くなる。スイッチ３が操作された時から一定時間、スイッチ３の発光色を緑からオレンジに変化させる。また、ｆ部の「あつく」表示は、白地に黒文字であったものを、黒地に白文字に反転させる。
【００２３】
同様に、スイッチ４を操作すれば、給湯温度が低くなり、ドット表示部１のｂ部の表示温度は、当初の４０℃から操作するたびに、３９、３８・・・と低くなる。スイッチ４が操作された時から一定時間、スイッチ４の発光色を緑からオレンジに変化させる。また、ｇ部の「ぬるく」表示は、白地に黒文字であったものを、黒地に白文字に反転させる。
【００２４】
以上のように、ドット表示部１に表示されている操作可能要素、この場合は、ｆ部「あつく」とｇ部「ぬるく」に対応して、スイッチ３およびスイッチ４が、ドット表示素子１の周囲に配置されているので、使用者は、あたかもタッチパネルのように表示を見ながら直感的に操作することができる。
【００２５】
また、スイッチ３、スイッチ４、スイッチ５およびスイッチ６のうち、操作可能なスイッチだけを発光させるようにしたので、使用者はどのスイッチが操作できるのか一目瞭然となり、使いやすい給湯機用リモコンを提供することができる。
【００２６】
また、操作したスイッチ３、４の発光色が緑からオレンジに変化するので、使用者にとって自分が操作したスイッチが確認しやすい。さらに、ドット表示部１の操作に対応する表示、この場合、ｆ部またはｇ部の「あつく」や「ぬるく」の表示が、反転表示されるので、使用者にとって自分が操作したスイッチが確認しやすい。
【００２７】
次に、各種設定を行う場合の操作、表示を説明する。
【００２８】
各種設定を行う場合、使用者は、まず、メニュースイッチ２を押す。メニュースイッチ２を押すごとに、給湯温度、1日に沸かす湯量、ふろ温度、ふろ水位、ふろ保温時間などの設定画面に切り替わる。メニュースイッチ２を1回押すと給湯温度の設定画面になる。図２はその画面を示す。このときの操作、表示は、図１で説明したとおりである。
【００２９】
再び、メニュースイッチ２を押すと、図３に示すような、1日に沸かす湯量の設定画面になる。この設定画面では、ドット表示部１の上側から、「たっぷり」、「おまかせ」、「深夜のみ」、「節約」の４つの選択肢がある。この４つの選択肢に対応して、ドット表示部１の周囲に、スイッチ３、スイッチ４、スイッチ５、スイッチ６が配置されている。これらのスイッチ３〜６は、すべて操作可能であるため、緑色に発光している。
【００３０】
使用者が、節約を選択する場合は、スイッチ６を押す。スイッチ６を操作された時から一定時間、スイッチ６の発光色を緑からオレンジに変化させる。また、「節約」表示は、白地に黒文字であったものを、黒地に白文字に反転させる。効果は、図１の説明と同じである。
【００３１】
なお、図１、図２、図３では、各種設定以外の、操作すればすぐ動作が開始する機能で、よく使う機能スイッチとして、お湯増しスイッチ７、通話スイッチ８およびふろ自動スイッチ９を、ドット表示部１の周囲に配したメニュースイッチ２、スイッチ３〜６とは独立して設けている。これは、独立させたほうが使い勝手が向上するとの判断に基づいたも
のである。その代わり、スイッチの数は増えるデメリットもある。
【００３２】
なお、ドット表示部１の周囲に、表示と対応して配置するスイッチとして、本実施の形態では、スイッチ３〜６の４個としたが、この数は、ドット表示部１の大きさや、操作のしやすさを考慮して決めればよい。また、スイッチの発光色も任意に決めればよい。
【００３３】
なお、スイッチ３〜６のいずれかが操作された時から一定時間、操作されたスイッチに対応するドット表示部１の表示色を反転表示する代わりに、点滅表示させるなど、操作されたスイッチがわかりやすいようにしても同等の効果がある。また、ドット表示部１が、カラードット表示の場合は、通常の表示色と異なる表示色にしても同等の効果が得られる。
【００３４】
なお、上記実施の形態では、操作可能なスイッチを発光させる例を示したが、操作可能なスイッチも操作不要なスイッチも発光させないで、操作された時だけ、一定時間発光させるようにしてもよい。
【００３５】
（実施の形態２）
図４は、本発明の第２の実施の形態における給湯機用リモコンの外観図である。なお、上記第1の実施の形態における給湯機用リモコンと同一部分については、同一符号を付してその説明を省略する。
【００３６】
本実施の形態は、上記第１の実施の形態で述べた、お湯増しスイッチ７、通話スイッチ８、ふろ自動スイッチ９などの独立したスイッチを省き、ドット表示部１の通常表示画面に、「お湯増し」、「通話」、「ふろ自動」の表示をし、それぞれの表示に対応して、スイッチ３、スイッチ４、スイッチ５を、ドット表示部１の周囲に配置したものである。
【００３７】
この画面での操作可能なスイッチは、スイッチ３、スイッチ４およびスイッチ５なので、各スイッチは、緑色に発光させる。なお、スイッチ６は、発光させない。
【００３８】
例えば、使用者が、「ふろ自動」を行いたい場合は、スイッチ５を操作する。スイッチ５を操作された時から一定時間、スイッチ５の発光色を緑からオレンジに変化させる。また、「ふろ自動」表示は、白地に黒文字であったものを、黒地に白文字に反転させる。使用者が操作確認ができる時間、例えば０．５秒後に、表示はもとの状態に戻す。
【００３９】
各種設定を行う際の動作、作用は、第１の実施の形態と同様である。
【００４０】
以上のように、ドット表示部１に表示されている操作可能要素に対応して、スイッチ３、スイッチ４およびスイッチ５が、ドット表示素子１の周囲に配置されているので、使用者は、あたかもタッチパネルのように表示を見ながら直感的に操作することができる。また、スイッチ３、スイッチ４、スイッチ５およびスイッチ６のうち、操作可能なスイッチだけを発光させるようにしたので、使用者は、どのスイッチが操作可能か一目瞭然となり、使いやすい給湯機用リモコンを提供することができる。
【００４１】
また、スイッチ３〜５の内、操作したスイッチの発光色を、緑からオレンジに変化させることにより、使用者にとって自分が操作したスイッチが容易に確認することが出来る。
【００４２】
さらに、ドット表示部１では、操作に対応する表示を、反転表示するので、使用者にとって自分が操作したスイッチが、何を設定するためのものか容易に確認することが出来る。
【００４３】
また、上記実施の形態では、メニュースイッチ２以外は、スイッチに名称が付いていない。実施の形態１では、通話スイッチ８のように、スイッチに名称がついているので、通話機能のない機種では、このリモコンが使えず、別途、通話スイッチの無い給湯機用リモコンを提供しなければならなかったが、本実施の形態のように、スイッチの名称を、ドット表示部１に表示するようにすれば、表示を変えるだけで、多機種に対応させることができる。また、表示を変えるためには、メニュースイッチ２の設定で行うこともできる。
【産業上の利用可能性】
【００４４】
以上のように、本発明の給湯機用リモコンは、安価な構成でタッチパネル相当の直感的な操作ができるもので、熱源が電気、ガス、石油、ヒートポンプ、燃料電池のいずれの方式の給湯機の遠隔制御に利用できる。
【図面の簡単な説明】
【００４５】
【図１】本発明の実施の形態１における給湯機用リモコンの外観図
【図２】同給湯機用リモコンの外観図
【図３】同給湯機用リモコンの外観図
【図４】本発明の実施の形態２における給湯機用リモコンの外観図
【符号の説明】
【００４６】
１  ドット表示部
３〜６  スイッチ
【図１】
2008309387.tif 000003
【図２】
2008309387.tif 000004
【図３】
2008309387.tif 000005
【図４】
2008309387.tif 000006